(57)【要約】【課題】            従前、年齢確認用の証明カードとして運転免許証あるいは専用のＩＤカードの使用に限定されてしまうという点であり、これらのカードを所持していない時には自動販売機での商品購入や施設への入場等が一切でき得なくなってしまうという点と、また、年齢を確認した後に、商品の代金やサービス料金を支払う媒体が多くの場合現金に限定されていることで、幾多ある支払い方法の全てが利用可能とはされていないという点である。【解決手段】        年齢確認用の種々のカードやページ式の認証用書類を挿入し、そのカード等の真贋を判定するとともに、そのカード等の内容を確認し、その確認による信号で商品の代金あるいはサービス等の料金の精算機能を稼動可能とすることと、年齢確認用のカードにより、商品やサービスの購入者が規定年齢以上であることが確認されると、その支払いとしてクレジットカードや電子マネーによる精算を現金と併せ可能としてあることとする。【選択図】          図１
2007226384.tif 000002
【特許請求の範囲】
【請求項１】
年齢確認用の種々のカードやページ式の認証用書類を挿入し、そのカード等の真贋を判定するとともに、そのカード等の内容を確認し、その確認による信号で商品の代金あるいはサービス等の料金の精算機能を稼動可能とすることを特徴とする自動チェック、精算システム。
【請求項２】
前記した年齢確認用のカードとして種々の免許証を用いることとし、その免許証が自動車運転免許証とした場合、透かし模様の確認も行なうことを特徴とする請求項１に記載の自動チェック、精算システム。
【請求項３】
前記した年齢確認用のカードとして自動車運転免許証とした場合、免許証番号のチェックも行なうことを特徴とする請求項１または請求項２に記載の自動チェック、精算システム。
【請求項４】
前記した年齢確認用のカードにより、商品やサービスの購入者が規定年齢以上であることが確認されると、その支払いとしてクレジットカードや電子マネーによる精算を現金と併せ可能としてあることを特徴とする請求項１、請求項２または請求項３に記載の自動チェック、精算システム。
【請求項５】
前記した精算機能の稼動として携帯電話機やＰＨＳに附加されている光線照射によるスイッチ稼動も可能としてあることを特徴とする請求項１、請求項２、請求項３または請求項４に記載の自動チェック、精算システム。
【請求項６】
前記した電子マネーとしてＩＣチップ内蔵の非接触タイプあるいは接触タイプのカード、磁気タイプのカードを使用することを可能としてあることを特徴とする請求項１、請求項２、請求項３、請求項４または請求項５に記載の自動チェック、精算システム。
【請求項７】
年齢確認用の種々のカードやページ式の認証用書類を挿入し、そのカード等の真贋を判定するとともに、そのカード等の内容を確認し、その確認による信号で、商品の代金あるいはサービス等の料金の精算の実行または省略する機能を稼動可能とすることを特徴とする自動チェック、精算システム。
【発明の詳細な説明】
【技術分野】
【０００１】
本発明は自動チェック、精算システム、特に無人の自動販売機、貸出機、各種施設の入場ゲート等にあって、商品の購入の代金やサービス料金を自動精算あるいは年齢チェックをするシステムに関し、さらには、当該商品の購入やサービスを受けることについて法令や条例等の規定で年齢制限がある場合の自動チェック、精算システムに関する。
【背景技術】
【０００２】
従来より、アルコール飲料、煙草等法的に購入が２０歳未満は禁止される商品や成人向けの書籍類、ビデオテープ、ＣＤ、ＤＶＤ、ハードディスクメモリー、半導体メモリー（メモリースティック）等も自動販売機が利用されているが、近時ではこの利用に際し、年齢確認をするシステムが附加されることが徐々に義務付けられ、促進されている。この年齢確認は成人向けの映画や実演等の入場チケットの購入もしくは入場ゲートの開放にも同様のことが提唱されている。
【０００３】
上記した自動販売機等における年齢確認システムとしては自動車運転免許証を利用し、その自動車運転免許証の挿入を受け、記載された生年月日を読み取り、何歳であるかを確認することが従来より行なわれており、その確認が終了すると、商品の販売機構等が稼動可能にスタンバイされることとなる。
【０００４】
また、自動車運転免許証は成人あるいは１８歳以上の全てが所有しているものではないので、かかる場合、年齢確認用として、自動販売機の業者や店舗あるいは施設側が各人専用の暗唱番号を記憶させたＩＤカードを発行し、そのＩＤカードを利用することができるように構成することもでき、この場合は電気的に接続されたテンキーで該暗唱番号を入力したり、生体確認すること等でスタンバイ状態とできる。
【特許文献１】特開２００２−２４９１３号公報
【特許文献２】特開２００２−４２２０４号公報
【発明の開示】
【発明が解決しようとする課題】
【０００５】
本発明が解決しようとする問題点は従前、年齢確認用の証明カードとして運転免許証あるいは専用のＩＤカードの使用に限定されてしまうという点であり、これらのカードを所持していない時には自動販売機での商品購入や施設への入場等が一切でき得なくなってしまうという点である。
【０００６】
また、本発明が解決しようとする問題点は、年齢を確認した後に、商品の代金やサービス料金を支払う媒体が多くの場合現金に限定されていることで、幾多ある支払い方法の全てが利用可能とはされていないという点である。
【課題を解決するための手段】
【０００７】
この問題点を解決するために、本発明に係る自動チェック、精算システムは年齢確認用の種々のカードやページ式の認証用書類を挿入し、そのカード等の真贋を判定するとともに、そのカード等の内容を確認し、その確認による信号で商品の代金あるいはサービス等の料金の精算機能を稼動可能とすることを特徴とし、前記した年齢確認用のカードとして種々の免許証を用いることとし、その免許証が自動車運転免許証とした場合、透かし模様の確認も行なうことを特徴とし、前記した年齢確認用のカードとして自動車運転免許証とした場合、免許証番号のチェックも行なうことを特徴としている。
【０００８】
また、本発明に係る自動チェック、精算システムは前記した年齢確認用のカードにより、商品やサービスの購入者が規定年齢以上であることが確認されると、その支払いとしてクレジットカードや電子マネーによる精算を現金と併せ可能としてあることを特徴とし、前記した精算機能の稼動として携帯電話機やＰＨＳに附加されている光線照射によるスイッチ稼動も可能としてあることを特徴とし、前記した電子マネーとしてＩＣチップ内蔵の非接触タイプあるいは接触タイプのカード、磁気タイプのカードを使用することを可能としてあることを特徴とし、年齢確認用の種々のカードやページ式の認証用書類を挿入し、そのカード等の真贋を判定するとともに、そのカード等の内容を確認し、その確認による信号で、商品の代金あるいはサービス等の料金の精算の実行または省略する機能を稼動可能とすることを特徴としている。
【発明の効果】
【０００９】
本発明に係る自動チェック、精算システムは上記のように構成されている。そのため、年齢確認用の媒体カードとして自動車運転免許証や専用のＩＤカードは勿論のこと、身分を確認し、発行される保険証、診察カード、クレジットカード、各種会員カード、社員証、学生証、パスポート等も全て利用が可能となり、自動販売機の設置側としても広い利用頻度が望め、利用者としてもカードが限定されることがないので、非常に利用し易いものとなる。
【００１０】
また、本発明に係る自動チェック、精算システムは代金、料金の支払いとして現金は勿論のこと、クレジットカードやＩＣチップ内蔵のカードをはじめとする電子マネーの利用も幅広く可能とされるため、その利便性が大きくなることとなる。認証用書類提示者が提示した書類の内容を確認し、それが料金精算を要する場合は請求項１を実行し、料金精算を要しない（無料）優待扱いのＶＩＰパスとして確認された場合は精算をパスしたり、景品や賞品等のおまけあるいはポイントを渡すことができるようにしておくこともできる。
【発明を実施するための最良の形態】
【００１１】
図面として示し、実施例の項に記したような構成としたことで実現した。
【実施例１】
【００１２】
次に、本発明の好ましい実施の一例を図面を参照して説明する。図１は本発明に係る自動チェック、精算システムの概要を示すブロック図、図２は運転免許証の透かし模様を部分的に示す図である。
【００１３】
これらの図にあって１は、アルコール飲料、煙草等をはじめとする購入年齢が規制される商品の自動販売機の開閉扉、即ち、前面に装備されるカードの読取部を示しており、この読取部１にはカードの挿入口２が設けられている。この挿入口２は光学系センサーで挿入あるいは載置が検知されると強制的に内部にそのカードをローディングし、チェックが済むと自動排出するものとなっている。
【００１４】
このカードの読取部１はやはり開閉扉の前面に装備されている操作部（キーボードパネル）３とコネクタを介在して電気的に接続されており、この操作部３は自動販売機の内部に装備されている電源部４とやはりコネクタを介して電気的に接続されている。この電源部４はＡＣ１００Ｖの商業電源と接続され、自動販売機の接点と端子台５が電気的に接続されている。なお、６はパワースイッチ、７はヒューズ、８・８は取り付けプレートを示している。加えて、この電源部４内には操作部３から送られた信号をチェックするカードの識別装置も内蔵されている。
【００１５】
また、このシステムに於いて、使用できる年齢確認用カードは従来のように自動車運転免許証や専用のＩＤカードに加え、身分証明として使用可能な保険証（カードタイプのもの）、診察カード、各種の会員証（例えばゴルフクラブ会員証やスポーツクラブの会員証等）や社員証、学生証、パスポートそしてクレジットカード等、多種のものが使用可能とされている。
【００１６】
さらに、この年齢確認用カードとして運転免許証が使用される場合、光学系のセンサーやＣＣＤカメラ等を用いて生年月日を確認しそのデータを識別装置に送り年齢を確認することとなるが、それに先立って、挿入された運転免許証が真正なものか否かをチェックする必要がある。このチェックには行政機関の印影チェック等が行なわれるが、加えて免許証番号や運転免許証に刷り込まれている透かし模様９の状態等を識別装置でチェックすることとなる。
【００１７】
ここで、専用のＩＤカードを使用する場合、その使用者が本人か否かをチェックする必要があり、操作部３のテンキーを用い、４桁の暗唱番号を入力し、それが合致すると、読取部１における購入可のランプが点灯する。違った場合は不可としてカードは返却される。
【００１８】
また、その他の年齢確認用カードを使用した場合は、運転免許証を使用したときと同様に、格別に操作部３のキーを操作する必要はなく、該カードのデータを識別装置に送って年齢を確認すれば済むこととなる。
【００１９】
ここで、操作部３のテンキーを使用し、入力した場合、その暗唱番号は表示部３ａに表示され、自己の暗唱番号と一致しているか否かをチェックでき、確認ボタンスイッチを入力することとなる。しかし、この表示部３ａへの表示は他人にも盗み見られる虞もあるところであり、この操作部３に代えてあるいは併設して受光素子を設けておくこともできる。この受光素子も当然に読取部１や電源部４（識別装置）と電気的に接続される。この受光素子に対し、携帯電話機やＰＨＳから発光信号を入力し、確認作業をすることもでき、この場合該暗唱番号は自己の電話機の表示部に表示されるので、他人に盗み見られる危険性は極めて小さくなる。
【００２０】
このようにして、自動販売機が購入可の状態になった時、その商品の購入として、通常の現金をはじめ、接触式、非接触のＩＣチップを内蔵したカードや、携帯電話機に内蔵された電子マネーシステムも使用可能とされる。また、クレジットカードもそのまま利用できることとすることもでき、この際には暗唱番号が必要となるので、前記した操作部３の操作や、携帯電話機での発光信号の入力操作を行なうこととすることもできる。
【産業上の利用可能性】
【００２１】
本発明に係る自動チェック、精算システムは上述のように構成されている。そのため、現状では年齢規制が設けられていても誰でも自由に利用できてしまう勝馬や勝者の投票券販売機や成人向けの薬品やサプリメントの販売機にも応用実施できる。実施例では自動販売機を対象として述べているが、各種の施設の入場や、必要とあれば有料駐車場の精算システム等々にも広く応用実施できる。また、年齢の制限が２０歳未満と１８歳未満、加えて映画等で１５歳未満を不可とする場合、その対象年齢に対応してスイッチ切替で対処することが可能となる。さらには、前記に加えてパスポートの利用で年齢確認も可能で、場合により精算（支払い）は不要とし年齢確認のチェック機能用専用としても実施できることとなり、そのチェック内容で優待扱いが判れば、精算を無料とし、加えて、おまけやポイントを渡すこともできるシステムとできる。
【図面の簡単な説明】
【００２２】
【図１】本発明に係る自動精算システムの概要を示すブロック図である。
【図２】運転免許証の透かし模様を部分的に示す図である。
【符号の説明】
【００２３】
１    読取部
２    挿入口
３    操作部
３ａ  表示部
４    電源部
５    端子台
６    パワースイッチ
７    ヒューズ
８    取り付けプレート
９    透かし模様
【図１】
2007226384.tif 000003
【図２】
2007226384.tif 000004